(57)【要約】【課題】  反射ミラーの共振周波数を高域へ調整可能とすると共に、反射ミラーの共振周波数を調整する部材が占有する反射ミラーの周囲のスペースを低減する。【解決手段】  ＳＯＳピックアップミラー３６を保持するミラーホルダ３８がハウジングの側壁４０Ａに片持ち状態でネジ止めされている。ミラーホルダ３８の長手方向へ沿って延びるネジ穴４８にネジ５０を螺合させ、ネジ５０の螺合長を調整することで、ミラーホルダ３８及びＳＯＳピックアップミラー３６の共振周波数を調整する。【選択図】  図５
2006259399.tif 000002
【特許請求の範囲】
【請求項１】
光源から射出され偏向手段によって走査面へ偏向走査されるレーザビームを反射する反射ミラーと、
少なくとも前記偏向手段、前記反射ミラーを収容するハウジングと、
前記反射ミラーを保持し、前記ハウジングに長手方向の端部を支持された梁構造のミラー保持部材と、を備える光走査装置であって、
前記ミラー保持部材の内部で前記ミラー保持部材の長手方向へ延びる空隙に嵌入量を調整可能に嵌入され、前記ミラー保持部材の共振周波数を調整する嵌入部材を有することを特徴とする光走査装置。
【請求項２】
前記嵌入部材に鍔部が形成され、
前記鍔部と前記ミラー保持部材の長手方向の端部との間に挟み込まれ、前記嵌入部材の前記ミラー保持部材への嵌入量を調整する調整部材を有することを特徴とする請求項１に記載の光走査装置。
【請求項３】
前記鍔部と前記ミラー保持部材の長手方向の端部との間に、前記調整部材と前記ハウジングが挟み込まれたことを特徴とする請求項２に記載の光走査装置。
【請求項４】
前記調整部材が、前記鍔部と前記ハウジングとの間に挟み込まれる弾性部材であることを特徴とする請求項３に記載の光走査装置。
【請求項５】
前記嵌入部材を前記ハウジングの外側から前記ミラー保持部材へ嵌入可能としたことを特徴とする請求項１乃至４の何れか1項に記載の光走査装置。
【請求項６】
前記嵌入部材がネジであることを特徴とする請求項１乃至５の何れか1項に記載の光走査装置。
【発明の詳細な説明】
【技術分野】
【０００１】
本発明は、光源から射出されたレーザビームを偏向手段によって偏向して走査面を走査する光走査装置に関する。
【背景技術】
【０００２】
電子写真方式を用いたレーザビームプリンタや複写機等の画像形成装置では、例えば、図８に示すように、まず、図中矢印Ａ方向へ回転する感光体１０２が帯電器１０４によって一様に帯電される。次に、レーザ光源１１４やポリゴンミラー１１６（共に図９参照）等を備える光走査装置１００が、所望の出力画像信号に応じてレーザ光源を点滅させてレーザビームＬを射出し、レーザ光源から射出されたレーザビームＬをポリゴンミラーによって感光体１０２の帯電面に向けて偏向走査する。これによって、感光体１０２上に静電潜像が形成される。そして、現像器１０６が、感光体１０２上の静電潜像をトナーで顕像化し、転写器１０８が、感光体１０２上に形成されたトナー像を記録媒体Ｐに転写させる。そして、定着器１１０が、記録媒体Ｐ上のトナー像を記録媒体Ｐに定着させる。なお、記録媒体Ｐに転写されずに感光体１０２上に残留したトナーは、クリーニング装置１１２によってクリーニングされる。
【０００３】
また、図９に示すように、光走査装置１００は、半導体レーザ（レーザダイオード：ＬＤ）である光源１１４、光源１１４から射出されたレーザビームＬを平行光に変換するコリメータレンズ１１８、平行光になったレーザビームＬを線状に結像するシリンドリカルレンズ１２０、コリメータレンズ１１８、シリンドリカルレンズ１２０によって整形されたレーザビームＬを偏向走査するポリゴンミラー１１６、ポリゴンミラー１１６によって偏向走査されたレーザビームＬを感光体１０２に結像する走査レンズ１２２、走査レンズ１２２によって結像されたレーザビームＬを感光体１０２へ向けて反射する反射ミラー１２４、及び、受光素子（フォトダイオード）であるＳＯＳセンサ１２６とＳＯＳセンサ１２６へレーザビームＬを反射するＳＯＳピックアップミラー１２８を備える。
【０００４】
ＳＯＳピックアップミラー１２８は、ポリゴンミラー１１６によって偏向走査されたレーザビームＬの走査領域の画像書出し側（主走査方向の上流側）に配設されており、画像領域外を通過するレーザビームＬをＳＯＳセンサ１２６へ向けて反射する。ＳＯＳセンサ１２６はレーザビームＬを受光して、ＳＯＳ（Start  Of  Scan）信号を出力する。画像制御部（図示省略）は、ＳＯＳセンサ１２６からのＳＯＳ信号の受信タイミングに応じて、画像の書出しタイミングを決定する。
【０００５】
ところで、画像形成装置の内部には、モータやファンなど振動を発生する部品が多数存在し、装置全体に亘って振動が及ぼされている。この振動が光走査装置のミラーをも振動させてレーザビームの位置精度を悪化させることで、ＳＯＳセンサからのＳＯＳ信号の出力タイミングにズレが生じて画像の書出しタイミングに狂ったり、ブレ、ボケなどの画質の低下が発生したりする場合がある。
【０００６】
このため、従来から、反射ミラーやハウジングの振動の問題を解決するための技術が種々考案されている（例えば、特許文献１乃至３参照）。特許文献１では、取付位置を変更自在な錘を反射ミラーに取付けられており、ポリゴンミラーから反射ミラーに伝播する振動を検討して錘の取付位置を決定している。また、特許文献２では、反射ミラーの反射面に補強材である板ガラスを両面テープ等の接着材で貼り付けて反射ミラーの剛性を高めることで、反射ミラーの固有振動数を上げている。また、特許文献３では、ハウジングのモータ収容部付近に中空部を設け、中空部の容積や中空部に充填する部材の材質によってハウジングの固有振動数を調整している。
【０００７】
ところで、近年のフルカラーのレーザビームプリンタでは、カラー画像の高解像度化、プリント速度の高速化、および、装置の小型化が進んでおり、図１０に示すように、光走査装置２００では、複数の発光点を備えるレーザ光源２０２からＹ、Ｍ、Ｃ、Ｋの画像データに基づいた４本以上のレーザビームＬが射出され、この４本以上のレーザビームＬを複数の反射ミラー２０４によって何度も折返すことで、４本以上のレーザビームＬをハウジング２０６内の狭いスペースに収めている。また、光走査装置２００では、形状が異なる複数の反射ミラー２０４が設置されているので、反射ミラー２０４の振動モードが複雑化している。
【０００８】
しかしながら、特許文献１では、錘が反射ミラーの周囲に取付けられて反射ミラーの周囲のスペースを占有しており、レーザビームの高密度化が妨げられ、光走査装置の小型化が妨げられている。また、錘を反射ミラーに取付けると、錘を取付けていない状態の反射ミラーよりも共振周波数が下がってしまう。
【０００９】
ここで、図１１のグラフに示すように、画像形成装置に備えられるモータやギア等の振動源の振動周波数は、４００Ｈｚ以下の低域に密集しているので、反射ミラーの共振周波数と振動源の振動周波数とを異ならせるのが困難になる。特に、形状が異なる複数の反射ミラーの共振周波数を全て振動源の振動周波数と異ならせるのは非常に困難である。
【００１０】
また、複数の印字解像度及びプロセス速度を選択可能な画像形成装置では、モータやギア等の振動周波数が、印字解像度及びプロセス速度の比率分だけシフトするので、低域で反射ミラーの共振周波数を設定できる範囲は更に狭くなる。それに加えて、画像形成装置の構成部品の誤差によって振動源の振動周波数のバラツキも考慮しなければならないので、低域で全ての反射ミラーの共振周波数と振動源の振動周波数とを完全に異ならせるのは不可能に近い。
【００１１】
さらに、画像形成装置のソレノイド等から反射ミラーにインパルス状の振動が加えられた場合には、反射ミラーが反射ミラー固有の振動数で振動してしまうので、振動周期が長くなる。これによって、プリント画像で発生するピッチムラが長くなってムラが目立ち易くなるという問題がある。
【００１２】
また、特許文献２では、反射ミラーの外部に補強部材を接着しているので、反射ミラーの周囲のスペースが補強部材によって占有され、光走査装置が大型化する。また、振動源の振動周波数のバラツキや変化に応じて反射ミラーの共振周波数を調整することができないという問題がある。
【００１３】
また、特許文献３では、振動源の振動周波数のバラツキや変化に応じて中空量や充填部材の材質をいちいち変更することは困難であるという問題がある。
【特許文献１】特開平９−２６９４６０号公報
【特許文献２】特開平１０−２０６６１７号公報
【特許文献３】特開平１１−２０２２４５号公報
【発明の開示】
【発明が解決しようとする課題】
【００１４】
本発明は上記事実を考慮してなされたものであり、反射ミラーの共振周波数を振動源の振動周波数よりも高域へ調整可能とすると共に、反射ミラーの共振周波数を調整する部材が占有する反射ミラーの周囲のスペースを低減する。
【課題を解決するための手段】
【００１５】
請求項１に記載の光走査装置は、光源から射出され偏向手段によって走査面へ偏向走査されるレーザビームを反射する反射ミラーと、少なくとも前記偏向手段、前記反射ミラーを収容するハウジングと、前記反射ミラーを保持し、前記ハウジングに長手方向の端部を支持された梁構造のミラー保持部材と、を備える光走査装置であって、前記ミラー保持部材の内部で前記ミラー保持部材の長手方向へ延びる空隙に嵌入量を調整可能に嵌入され、前記ミラー保持部材の共振周波数を調整する嵌入部材を有することを特徴とする。
【００１６】
請求項１に記載の光走査装置では、レーザビームが光源から射出され偏向手段によって走査面へ偏向走査される。このレーザビームは反射ミラーによって反射され、感光体や各種センサへ入射する。また、少なくとも偏向手段と反射ミラーがハウジングに収容されており、このハウジングには、反射ミラーを保持するミラー保持部材の長手方向の端部が支持されている。このミラー保持部材は、梁構造になっている。
【００１７】
また、ミラー保持部材の内部では、空隙がミラー保持部材の長手方向へ延びており、この空隙に、嵌入部材が嵌入量を調整可能に嵌入されている。このため、嵌入部材のミラー保持部材への嵌入量を調整することで、ミラー保持部材の剛性が調整されてミラー保持部材の共振周波数が調整される。
【００１８】
ここで、片持ち梁の固有振動数ｆ（Ｈｚ）は下記の（１）式で表される。
λ：境界条件と振動モードによって定まる無次元の係数（片持ち梁の場合は１．８７５）
Ｅ：梁の材料の縦弾性係数（Ｐａ）
Ｉ：梁の断面２次モーメント（ｍ4）
ｍ：梁の質量（Ｋｇ）
Ｌ：梁の長さ（ｍ）
即ち、嵌入部材の嵌入量を梁の長さ方向へ増加させることで、曲げ剛性ＥＩを増大させてミラー保持部材の固有振動数ｆを高域へシフトさせることができ、ミラー保持部材及び反射ミラーの共振周波数を振動源の振動周波数から高域へ離すことができる。従って、反射ミラーの共振を確実に防止できる。
【００１９】
また、反射ミラーをハウジング内に設置するためには必須の部品であるミラー保持部材の内部に、反射ミラーの共振周波数を調整する部材を配設したので、反射ミラーの周囲におけるレーザビームの高密度化が可能となり、光走査装置を小型化できる。
【００２０】
請求項２に記載の光走査装置は、請求項１に記載の光走査装置であって、前記嵌入部材に鍔部が形成され、前記鍔部と前記ミラー保持部材の長手方向の端部との間に挟み込まれ、前記嵌入部材の前記ミラー保持部材への嵌入量を調整する調整部材を有することを特徴とする。
【００２１】
請求項２に記載の光走査装置では、嵌入部材に鍔部が形成されており、この鍔部とミラー保持部材の長手方向の端部との間に調整部材が挟み込まれて、嵌入部材のミラー保持部材への嵌入量が調整される。
【００２２】
請求項３に記載の光走査装置は、請求項２に記載の光走査装置であって、前記鍔部と前記ミラー保持部材の長手方向の端部との間に、前記調整部材と前記ハウジングが挟み込まれたことを特徴とする。
【００２３】
請求項３に記載の光走査装置では、鍔部とミラー保持部材の長手方向の端部との間に調整部材とハウジングが挟み込まれ、調整部材とミラー保持部材によってハウジングが狭持される。即ち、ミラー保持部材が、嵌入部材と調整部材によって長手方向へ移動不能となり、ハウジングに固定されるので、ミラー保持部材をハウジングに固定するためのネジが不要となり、コストを低減できる。また、ミラー保持部材にネジ穴を空ける必要が無いので、その分だけミラー保持部材を小型化できる。従って、反射ミラーの周囲におけるレーザビームの高密度化が可能となり、光走査装置を小型化できる。
【００２４】
請求項４に記載の光走査装置は、請求項３に記載の光走査装置であって、前記調整部材が、前記鍔部と前記ハウジングとの間に挟み込まれる弾性部材であることを特徴とする。
【００２５】
請求項４に記載の光走査装置では、ハウジングと鍔部との間に弾性部材が挟み込まれており、ハウジングが弾性部材とミラー保持部材によって狭持されることで、ミラー保持部材が長手方向へ移動不能となってハウジングに固定されている。このため、ミラー保持部材をハウジングに固定するためのネジが不要となる。
【００２６】
ここで、嵌入部材の嵌入量が変更されても弾性部材の弾性力がハウジングに絶えず作用し、ミラー保持部材がハウジングに固定された状態に維持されるので、弾性の無いワッシャ等を調整部材とする場合のように、嵌入部材の嵌入量を変更する際に調整部材を交換する必要が無い。従って、反射ミラーの共振周波数の調整作業が容易である。
【００２７】
請求項５に記載の光走査装置は、請求項１乃至４の何れか1項に記載の光走査装置であって、前記嵌入部材を前記ハウジングの外側から前記ミラー保持部材へ嵌入可能としたことを特徴とする。
【００２８】
請求項５に記載の光走査装置では、嵌入部材がハウジングの外側からミラー保持部材へ嵌入可能となっているので、各種光学部品をハウジングに実装した後でも容易に反射ミラーの共振周波数の調整できる。また、ハウジング内に嵌入部材の嵌入量を調整するためのスペースを設ける必要が無いので、ハウジング内の各種光学部品を高密度に配置でき、光走査装置を小型化できる。
【００２９】
請求項６に記載の光走査装置は、請求項１乃至５の何れか1項に記載の光走査装置であって、前記嵌入部材がネジであることを特徴とする。
【００３０】
請求項６に記載の光走査装置では、ミラー保持部材にネジを嵌入させ、このネジのミラー保持部材への嵌入量を調整することで、ミラー保持部材ならびに反射ミラーの共振周波数を調整する。ここで、ネジのミラー保持部材への嵌入量は、ネジをドライバによって旋回することで変更可能なので、調整作業が容易である。
【発明の効果】
【００３１】
本発明は上記構成にしたので、反射ミラーの共振周波数を振動源の振動周波数よりも高域へ調整できると共に、反射ミラーの共振周波数を調整する部材が占有する反射ミラーの周囲のスペースを低減できる。
【発明を実施するための最良の形態】
【００３２】
以下に図面を参照しながら本発明の実施形態について説明する。
【００３３】
図１、図２に示すように、カラーレーザープリンタに備えられた光走査装置１０は、４本の走査面としての感光体１２Ｙ、１２Ｍ、１２Ｃ、１２ＫにそれぞれレーザービームＬＹ、ＬＭ、ＬＣ、ＬＫを照射して潜像を形成する。感光体１２Ｙ、１２Ｍ、１２Ｃ、１２Ｋに形成された潜像は、それぞれイエロー（Ｙ）、マゼンタ（Ｍ）、シアン（Ｃ）、及びブラック（Ｋ）のトナーによって現像される。そして、各感光体上のトナーが図示しない転写ベルトに転写される。この際、各色のトナーが重ねられてフルカラー画像となり、普通紙等の記録媒体に転写される。
【００３４】
光走査装置１０は、光源１４、偏向前光学系１６、偏向手段としてのポリゴンミラー１８、及び走査光学系２０で構成され、単一の光源１４から４本のレーザービームＬＹ、ＬＭ、ＬＣ、ＬＫを射出し走査光学系２０において各レーザービームを分離して４本の感光体１２Ｙ、１２Ｍ、１２Ｃ、１２Ｋに結像走査させる。なお、光走査装置１０のポリゴンミラー１８の回転による偏向走査方向を主走査対応方向、偏向走査方向に直交する方向を副走査対応方向と呼ぶ。即ち、感光体１２Ｙ、１２Ｍ、１２Ｃ、１２Ｋにおいては、軸方向に対応する方向を主走査対応方向、及び回転方向に対応する方向を副走査対応方向と呼ぶ。
【００３５】
光源１４は、４個の発光点Ｐが副走査対応方向に等間隔で配列された面発光レーザービームアレイであり、最も上の行から順にレーザービームＬＹ、ＬＣ、ＬＭ、ＬＫを射出し、感光体１２Ｙ、１２Ｃ、１２Ｍ、１２Ｋを各１本のレーザービームで走査する。
【００３６】
偏向前光学系１６は、それぞれ４本のレーザービームに共通のコリメータレンズ２２、反射ミラー２４、２５、シリンドリカルレンズ２６で構成されている。コリメータレンズ２２は光源１４に面して設けられており、光源１４から射出された４本のレーザビームを平行光に整形する。また、反射ミラー２４、２５は、コリメータレンズ２２によって平行光とされた４本のレーザビームをポリゴンミラー１８の偏向面１８Ａへ向けて反射する。また、シリンドリカルレンズ２６は、４本のレーザビームを扁平な形状にしてポリゴンミラー１８の偏向面１８Ａに集束する。
【００３７】
そして、ポリゴンミラー１８は、多数の偏向面１８Ａを有し、所定の回転速度で回転し、各感光体に走査線を所定速度で移動させる。
【００３８】
また、走査光学系２０は、それぞれ４本のレーザビームに共通の球面レンズ２８、トロイダルレンズ２９、スプリッタミラー３０、及び、各レーザビーム毎に設けられた平面ミラー３１Ｙ、３１Ｃ、３１Ｍ、３１Ｋ、シリンドリカルミラー３３Ｙ、３３Ｍ、３３Ｃ、３３Ｋ、及び出射窓（ウインド）３２Ｙ、３２Ｍ、３２Ｃ、３２Ｋとで構成されている。
【００３９】
球面レンズ２８とトロイダルレンズ２９は、協働して主走査対応方向に対してｆθ特性を持つように構成されており、ポリゴンミラー１８によって偏向された４本のレーザービームの主走査対応方向の走査角度を補正する。
【００４０】
また、スプリッタミラー３０は、角材の２面に反射面３０Ａ、３０Ｂが形成された多面鏡で、反射面３０ＡでレーザビームＬＹ、ＬＣを上方へ略直角に反射し、反射面３０ＢでレーザビームＬＭ、ＬＫを下方へ略直角に反射する。これによって、レーザビームＬＹ、ＬＣ、ＬＭ、ＬＫが、２本ずつ異なる方向へ反射されて２組に分離される。
【００４１】
そして、スプリッタミラー３０の上方に、平面ミラー３１Ｙ、３１Ｃと、シリンドリカルミラー３３Ｙ、３３Ｍが配設され、スプリッタミラー３０の下方に、平面ミラー３１Ｍ、３１Ｋと、シリンドリカルミラー３３Ｃ、３３Ｋが配設されている。シリンドリカルミラー３３Ｙ、３３Ｍ、３３Ｃ、３３Ｋはそれぞれ、感光体１２Ｙ、１２Ｍ、１２Ｃ、１２Ｋに面して配設されており、平面ミラー３１Ｙ、３１Ｍ、３１Ｃ、３１Ｋはそれぞれ、シリンドリカルミラー３３Ｙ、３３Ｍ、３３Ｃ、３３Ｋへ向けて各レーザビームを反射する。そして、シリンドリカルミラー３３Ｙ、３３Ｍ、３３Ｃ、３３Ｋは、平面ミラー３１Ｙ、３１Ｍ、３１Ｃ、３１Ｋによって反射された各レーザービームを各感光体へ向けて反射する。
【００４２】
シリンドリカルミラー３３Ｙ、３３Ｍ、３３Ｃ、３３Ｋによって反射された各レーザービームは、出射窓（ウインド）３２Ｙ、３２Ｍ、３２Ｃ、３２Ｋを通過して各感光体へ所定の間隔で集束させる。これによって、各感光体には走査線により潜像が形成される。
【００４３】
また、ポリゴンミラー１８の近傍にはＳＯＳセンサ３４が配設され、反射面３０Ａと平面ミラー３１Ｃとの間の走査開始側には、ＳＯＳピックアップミラー３６が配設されており、画像形成領域外の所定位置を通過するレーザビームＬＣが、ＳＯＳピックアップミラー３６によって反射面３０Ａに向けて反射され、反射面３０ＡによってＳＯＳセンサ３４に向けて反射され、そして、ＳＯＳセンサ３４に受光される。ＳＯＳセンサ３４は、レーザビームＬＣを受光してレーザビームの書き出しタイミングを検出している。
【００４４】
以上、説明した光源１４、偏向前光学系１６、ポリゴンミラー１８、走査光学系２０、及びＳＯＳセンサ３４とＳＯＳピックアップミラー３６は、図３、図４に示すハウジング４０に収容されている。
【００４５】
図３乃至図５に示すように、ＳＯＳピックアップミラー３６は、ハウジング４０の側壁４０Ａに長手方向の一端部を支持された片持ち梁構造のミラーホルダ３８によって保持されている。ミラーホルダ３８は、梁部４２とフランジ部４４とで構成されている。梁部４２は、フランジ部４４の中央部に立設されており、梁部４２の自由端部にはＳＯＳピックアップミラー３６が接着されている。
【００４６】
また、フランジ部４４には、ネジ止め用のネジ穴４４Ａと位置決め用のダボ４４Ｂが形成され、側壁４０Ａには、ネジ穴４４Ａに位置合せされたネジ止め用の穴４０Ｂと、ダボ４４Ｂに位置合せされた位置決め用の穴４０Ｃが形成されており、ダボ４４Ｂが穴４０Ｃに嵌入し、ネジ４６が側壁４０Ａの外側から穴４０Ｂを通してネジ穴４４Ａに嵌入することで、フランジ部４４が側壁４０Ａに位置決めされて固定されている。
【００４７】
また、ミラーホルダ３８には、フランジ部４４から梁部４２の自由端部まで延びるネジ穴４８が形成され、側壁４０Ａには、ねじ穴４８に面して穴４０Ｄが形成されており、ネジ５０が、側壁４０Ａの外側から穴４０Ｄを通してネジ穴４８へ嵌入されている。ネジ５０は、材質がＳＷＣＨ１６Ａ、長さが２０ｍｍのタッピングネジで、ネジ穴４８に螺合している。
【００４８】
ところで、ミラーホルダ３８は一様断面の片持ち梁であるが、一様断面の片持ち梁の固有振動数ｆ（Ｈｚ）は、下記の（１）式で表される。
λ：境界条件と振動モードによって定まる無次元の係数（片持ち梁の場合は１．８７５）
Ｅ：梁の材料の縦弾性係数（Ｐａ）
Ｉ：梁の断面２次モーメント（ｍ4）
ｍ：梁の質量（Ｋｇ）
Ｌ：梁の長さ（ｍ）
即ち、ネジ５０をネジ穴４８へ嵌入させることでミラーホルダ３８の曲げ剛性ＥＩを増大させることができ、固有振動数ｆを高域へシフトさせることができる。
【００４９】
ここで、ネジ５０のネジ穴４８への螺合長とミラーホルダ３８の共振周波数（一次モード）との関係を実験により求めたところ、結果は図６のグラフに示すようになった。なお、実験に用いたミラーホルダ３８は、梁部４２の幅が１０ｍｍ、長さが４０ｍｍ、厚さが３ｍｍ、縦弾性係数が８×１０9Ｎ／ｍ2であり、このミラーホルダ３８の自由端部には、幅８ｍｍ、長さが１０ｍｍ、厚さが２ｍｍのガラス製のＳＯＳピックアップミラー３６が接着剤により接着されている。
【００５０】
図６のグラフに示すように、ネジ５０の螺合長が長くなるにつれてミラーホルダ３８の共振周波数が５７０Ｈｚから６５０Ｈｚへと高域へシフトされており、画像形成装置に備えられたモータやソレノイド等の振動源の振動周波数（約４００Ｈｚ、図１１参照）から大きく離されている。
【００５１】
そこで、本実施形態では、まず、所定の材質や長さのネジ５０の螺合長に応じたミラーホルダ３８及びＳＯＳピックアップミラー３６の共振周波数と、振動源からミラーホルダ３８及びＳＯＳピックアップミラー３６へ伝播される振動の周波数を計測する。そして、それらの計測結果に基づいて、ミラーホルダ３８及びＳＯＳピックアップミラー３６の共振周波数が、振動源からミラーホルダ３８及びＳＯＳピックアップミラー３６に伝播する振動の周波数よりも所定量だけ高域へ離れるように、ネジ５０の螺合長を調整した上で、ミラーホルダ３８をハウジング４０にネジ止めする。
【００５２】
なお、ここでいう所定量は、振動源から伝播する振動の周波数と振動を受ける部位の減衰比とによって異なるので、振動周波数の出力画像をモニタに表示させて確認しながら設定することが望ましい。
【００５３】
以上、説明したように、ＳＯＳピックアップミラー３６、ミラーホルダ３８の共振周波数を、高域へシフトし、振動源の振動周波数と一致することがない安全な数値に設定できるので、ＳＯＳピックアップミラー３６の共振を確実に防止できる。これによって、ＳＯＳピックアップミラー３６によって折返されるレーザビームＬＣの位置精度が向上するので、ＳＯＳセンサ３４によって書出しタイミングが正確に検出される。
【００５４】
また、ＳＯＳピックアップミラー３６をハウジング４０内に設置するためには必須の部品であるミラーホルダ３８の内部に、ＳＯＳピックアップミラー３６の共振周波数を調整する部材を配設したので、ＳＯＳピックアップミラー３６の周囲におけるレーザビームの高密度化が可能となり、光走査装置１０を小型化できる。
【００５５】
また、ネジ５０が側壁４０Ａの外側からミラーホルダ３８へ嵌入可能となっているので、各種光学部品をハウジング４０に実装した後でも容易にＳＯＳピックアップミラー３６の共振周波数の調整できる。また、ハウジング４０内にネジ５０の嵌入量を調整するためのスペースを設ける必要が無いので、ハウジング４０内の各種光学部品を高密度に配置でき、光走査装置を小型化できる。
【００５６】
さらに、ネジ５０のミラーホルダ３８への螺合量は、ネジ５０をドライバＤによって旋回することで変更可能なので、調整作業が容易である。
【００５７】
なお、本実施形態では、片持ち梁構造のミラーホルダ３８を例に取って本発明を説明したが、これに限らず、両持ち梁構造のミラーホルダ３８でも同様の効果が得られる。また、本実施形態では、ネジ５０を穴４８に螺合させたが、穴を溝としても良く、また、ネジをピンに替えて穴や溝に圧入するようにしても良い。
【００５８】
さらに、本実施形態では、ＳＯＳピックアップミラー３６の共振周波数の調整を例に取って本発明を説明したが、これに限らず、レーザビームを感光体へ向けて折り返す反射ミラーや光量を検出する光量検出センサへ向けてレーザビームを折返す反射ミラー等、他のミラーの共振周波数の調整機構としても本発明を適用可能である。
【００５９】
次に、第２実施形態について説明する。なお、第１実施形態と同様の構成には同一の符号を付し、説明は省略する。
【００６０】
図７に示すように、ＳＯＳピックアップミラー３６は、ハウジング４１の側壁４１Ａに長手方向の一端部を支持された片持ち梁構造のミラーホルダ６０によって保持されている。ミラーホルダ６０は、梁部６２とフランジ部６４とで構成されている。梁部６２は、フランジ部６４の中央部に立設されており、梁部６２の自由端部にはＳＯＳピックアップミラー３６が接着されている。
【００６１】
また、フランジ部６４には、位置決め用のダボ６４Ａが形成され、側壁４１Ａには、ダボ６４Ａに位置合せされた位置決め用の穴４１Ｂが形成されており、ダボ６４Ａが穴４１Ｂに嵌入されて、フランジ部６４が側壁４１Ａに位置決めされている。
【００６２】
また、ミラーホルダ６０には、フランジ部６４から梁部６２の自由端部まで延びるネジ穴４８が形成され、側壁４１Ａには、ねじ穴４８に面して穴４１Ｃが形成されており、ネジ５０が、側壁４１Ａの外側から穴４１Ｃを通してネジ穴４８へ嵌入されている。また、ネジ５０の頭部５０Ａは、穴４１Ｃよりも大径になっている。
【００６３】
ここで、ネジ５０の頭部５０Ａと側壁４１Ａとの間には弾性部材としての圧縮コイルバネ６６が挟み込まれており、側壁４１Ａが圧縮コイルバネ６６とミラーホルダ６０によって狭持されることで、ミラーホルダ６０が、長手方向へ移動不能となり、側壁４１Ａに固定されている。このため、ミラーホルダ６０を側壁４１Ａに固定するためのネジが不要となるので、コストを低減できる。また、ミラーホルダ６０にネジ穴を空ける必要が無いので、その分だけミラーホルダ６０を小型化できる。従って、ＳＯＳピックアップミラー３６の周囲におけるレーザビームの高密度化が可能となり、光走査装置１０を小型化できる。
【００６４】
ここで、ネジ５０の螺合量が変更されても圧縮コイルバネ６６の弾性力が側壁４１Ａに絶えず作用し、ミラーホルダ６０が側壁４１Ａに固定された状態に維持されるので、弾性の無いワッシャ等をネジ５０の螺合量を調整する部材とする場合のように、ネジ５０の螺合量を変更する際に調整部材を交換する必要が無い。従って、ＳＯＳピックアップミラー３６の共振周波数の調整作業が容易である。
【００６５】
なお、本実施形態では、ネジ５０の頭部５０Ａと側壁４１Ａとの間に弾性部材である圧縮コイルバネ６６を挟み込んだが、圧縮コイルバネ６６はゴム製のワッシャや弾性が無い金属製のワッシャ等に替えることも可能である。弾性が無いワッシャの場合でも、ミラーホルダ６０が長手方向へ移動不能となって側壁４１Ａに固定される。
【００６６】
また、第1実施形態のように、ネジ５０とは別にミラーホルダ６０を側壁４１Ａに固定するネジを設けた場合には、ワッシャ等のネジ５０の螺合長を調整する部材を、ハウジング６４とネジ５０の頭部５０Ａとの間に挟み込んでも良い。
【図面の簡単な説明】
【００６７】
【図１】第１実施形態の光走査装置を示す斜視図である。
【図２】第１実施形態の光走査装置の概略を示す側面図である。
【図３】第１実施形態の光走査装置を示す分解斜視図である。
【図４】第１実施形態の光走査装置を示す斜視図である。
【図５】第１実施形態の光走査装置のＳＯＳピックアップミラーの共振周波数の調整機構を示す断面図である。
【図６】ネジの挿入長とミラーホルダの一次共振周波数との関係を示すグラフである。
【図７】第２実施形態の光走査装置のＳＯＳピックアップミラーの共振周波数の調整機構を示す断面図である。
【図８】従来の画像形成装置の概略を示す図である。
【図９】従来の光走査装置の概略を示す図である。
【図１０】従来の光走査装置の概略を示す図である。
【図１１】光走査装置が受ける振動の周波数と加速度との関係を示すグラフである。
【符号の説明】
【００６８】
１０    光走査装置
１２Ｙ  感光体（走査面）
１２Ｍ  感光体（走査面）
１２Ｃ  感光体（走査面）
１２Ｋ  感光体（走査面）
１４    光源
１８    ポリゴンミラー（偏向手段）
３６    ＳＯＳピックアップミラー（反射ミラー）
３８    ミラーホルダ（ミラー保持部材）
４０    ハウジング
４８    ネジ穴（空隙）
５０    ネジ（嵌入部材）
５０Ａ  頭部（鍔部）
６０    ミラーホルダ（ミラー保持部材）
６６    圧縮コイルバネ（調整部材、弾性部材）
ＬＹ    レーザビーム
ＬＭ    レーザビーム
ＬＣ    レーザビーム
ＬＫ    レーザビーム
【図１】
2006259399.tif 000003
【図２】
2006259399.tif 000004
【図３】
2006259399.tif 000005
【図４】
2006259399.tif 000006
【図５】
2006259399.tif 000007
【図６】
2006259399.tif 000008
【図７】
2006259399.tif 000009
【図８】
2006259399.tif 000010
【図９】
2006259399.tif 000011
【図１０】
2006259399.tif 000012
【図１１】
2006259399.tif 000013